(57)【要約】【課題】使用者の下半身にかかる負担が少なくなるように、使用者が無理のない姿勢で使用することができ、かつ、簡便に用いることのできる和式便器用足場を提供する。【解決手段】和式便器１の周囲の床面２に敷設して用いる和式便器用足場３に関する。和式便器１の後半部１ｂまたは前半部１ｆに沿って略Ｕ字状に延びトイレの床面２に敷設されるマット部３０と、前記床面２における前記便器１の両外側部１ｓにおいて前記便器１の後方に行くに従い上方に傾斜し利用時に足を載せる一対の傾斜部３１とが、ゴムおよび／または軟質の樹脂の弾性体で形成されている。【選択図】図１
0003153946.tif 000002
【実用新案登録請求の範囲】
【請求項１】
和式便器の後半部または前半部に沿って略Ｕ字状に延びトイレの床面に敷設されるマット部と、前記床面における前記便器の両外側部において前記便器の後方に行くに従い上方に傾斜し利用時に足を載せる一対の傾斜部とが、ゴムおよび／または軟質の樹脂の弾性体で形成されている和式便器用足場。
【請求項２】
請求項１において、前記一対の傾斜部の表面は後方に行くに従い傾斜が大きくなる曲面で形成されている和式便器用足場。
【考案の詳細な説明】
【技術分野】
【０００１】
本考案は和式便器用足場に関するものである。
【背景技術】
【０００２】
従来より、和式便器はしゃがんだ姿勢で用いるため、使用者の体型や下半身の柔軟さなどによっては、使用者の重心が後方（背側）になることがある。そのため、使用者の下半身にかかる負担が大きく、時には苦痛を伴う場合がある。
かかる場合には、使用者が前記便器の前方に設置された給水管や他の突起物などの設備を掴んで前屈みになろうとする場合があり、該設備の損傷や変形などを招くおそれがある。
さらに、前方に取手などが設けられたトイレの場合においても、トイレットペーパーを取る際には、両手を前記取手から離す必要が生じるので抜本的な解決策とはなっていない。
【０００３】
そこで、和式便器の両側に使用者の足の踵部分を爪先部分よりも高くし、使用者の下半身への負担を軽減するための足場を設けることが提案されている（特許文献１〜３参照）。
【先行技術文献】
【特許文献】
【０００４】
【特許文献１】実開昭４７−７９５０号（要約書）
【特許文献２】特開昭６３−１０６７２６号（第３図）
【特許文献３】特開平７−２３６５９６号（第３図）
【考案の概要】
【考案が解決しようとする課題】
【０００５】
しかし、従来の和式便器用足場は、左右の足場を和式便器の側面に別々に取りつける必要があるので、左右の位置がズレて取りつけられたり、使用中にズレる場合がある。
また、使用者の踵部分に接する足場の高さが高すぎたり、低すぎたりして該使用者の重心を適切な位置に設定できない。
さらに、特許文献３の和式便器用足場は、床にボルトで固定する必要があり、足場の取り付けが煩雑である。
【０００６】
したがって、本考案の目的は、使用者の下半身にかかる負担が少なくなるように、使用者が無理のない姿勢で使用することができ、かつ、簡便に用いることのできる和式便器用足場を提供することである。
【課題を解決するための手段】
【０００７】
前記目的を達成するために、本考案の和式便器用足場は、和式便器の後半部または前半部に沿って略Ｕ字状に延びトイレの床面に敷設されるマット部と、前記床面における前記便器の両外側部において前記便器の後方に行くに従い上方に傾斜し利用時に足を載せる一対の傾斜部とが、ゴムおよび／または軟質の樹脂の弾性体で形成されている。
【考案の効果】
【０００８】
本考案によれば、和式便器の後方に行くに従い上方に傾斜した一対の傾斜部が設けられているので、使用者が前記傾斜部に足を載せることにより、足と足首との角度が適切な角度となり、使用者の下半身にかかる負担が少なくなる。そのため、和式便器を無理のない姿勢で使用することができる。
また、マット部が略Ｕ字状に形成されているので、両傾斜部の位置が固定されるので、特許文献１および２の和式便器用足場とは異なり、左右の足を載せる傾斜部の位置が互いにズレることがない。
さらに、マット部がゴムおよび／または軟質の樹脂の弾性体で形成されているので、床との摩擦が大きいから、特許文献３の和式便器用足場とは異なり、ボルトなどで固定する必要がない。そのため、本和式便器用足場を容易に設置することができる。また、本考案の和式便器用足場を床面から簡単に取り外すことができるので、トイレの床面や本和式便器用足場を容易に清掃することができる。
【０００９】
なお、本考案において「ゴム」とは、天然ゴムまたは合成ゴムのことをいう。
また「軟質の樹脂」としては、塩化ビニル樹脂や、アイオノマー樹脂、ポリエチレン、ポリウレタン、ポリアミドなどの熱可塑性エラストマーを用いるのが好ましい。
さらには、前記マット部はゴムおよび軟質の樹脂がブレンドされたものであってもよい。
【００１０】
また、前記マット部の硬度としては、ＪＩＳＡ硬度が２０°〜９５°が好ましく、４０°〜８５°がより好ましく、５０°〜８０°が最も好ましい。
【図面の簡単な説明】
【００１１】
【図１】本考案の実施例１にかかる和式便器用足場を示す概略斜視図である。
【図２】同和式便器用足場の用い方を示す概略部分側面図である。
【図３】本考案の実施例２にかかる和式便器用足場を示す概略斜視図である。
【考案を実施するための形態】
【００１２】
本考案において、前記一対の傾斜部の表面は後方に行くに従い傾斜が大きくなる曲面で形成されているのが好ましい。
本態様によれば、傾斜部の表面が曲面で形成されているので、使用者の好みに合わせて前記傾斜部に足を載せる位置を変えることで、使用者の足の踵から足先にかけての延長線と、足首から脛にかけての延長線とがなす角度を大きく変えることができる。
【実施例１】
【００１３】
以下、本考案に係る和式便器用足場の一実施例を図面にしたがって説明する。
和式便器用足場３：
図１に示すように、和式便器用足場３は、和式便器１の後半部１ｂの床面２上に設置される。前記和式便器用足場３は、マット部３０と、該マット部３０と一体に形成された一対の傾斜部３１とを備えている。
【００１４】
前記和式便器用足場３は、たとえば、ゴムで形成されていてもよいし、軟質の樹脂の弾性体で形成されていてもよいし、ゴムおよび樹脂のブレンドで形成されていてもよい。和式便器用足場３をこのような素材で形成することにより、該和式便器用足場３の底面と床面２との摩擦が大きくなるので、和式便器用足場３の床面２に対する位置ズレを防止することができる。
【００１５】
マット部３０；
前記マット部３０は、和式便器１の後半部１ｂである該和式便器１の両外側部１ｓおよび後方Ｂに沿って略Ｕ字状に延び、トイレの床面２に密着するように敷設されるものである。
【００１６】
傾斜部３１；
前記マット部３０の略Ｕ字状の両端部、すなわち、和式便器１の両側面１ｓに対応する位置には、一対の傾斜部３１がそれぞれ一体に形成されている。
前記傾斜部３１は、使用者が和式便器１を使用するために屈んだ際に足を載せる位置に設定されている。
なお、傾斜部３１内には、たとえば、硬質の樹脂などが内蔵されていてもよい。
【００１７】
図２Ａ〜図２Ｃに示すように、前記一対の傾斜部３１の表面には、床面２における和式便器１の両外側部１ｓにおいて、前記和式便器１の後方Ｂに行くに従い上方に傾斜した曲面３１ｓが形成されている。すなわち、前記曲面３１ｓは、後方Ｂに行くに従い傾斜が大きくなるように湾曲して設定されている。
【００１８】
和式便器用足場３の用い方：
使用者が和式便器用足場３を用いるには、図２Ａ〜図２Ｃに示すように、使用者の体格や下半身の柔軟性、筋力などにより、使用者が屈んだ際に楽な位置を選択して、傾斜部３１の曲面３１ｓに載せる足Ｆの位置を決める。
【００１９】
前述したように、曲面３１ｓは後方Ｂに行くに従い傾斜が大きくなるように形成されている。そのため、図２Ａに示す曲面３１ｓの前方に足Ｆの踵部分を載せた位置から、図２Ｃに示す曲面３１ｓ上に足Ｆの概ね全体を載せた位置にかけて足Ｆが前傾する角度を大きく変化させることができる。
すなわち、足Ｆの踵から足先にかけての延長線Ｘと、足首から脛にかけての延長線Ｚとがなす角度が、図２Ａに示すθａから、図２Ｂに示すθｂ、図２Ｃに示すθｃのように、足Ｆを曲面３１ｓの後方Ｂに位置させる程、前記角度θが急激に大きくなる。
したがって、使用者の体格や柔軟性、筋力などに合わせて、曲面３１ｓに足Ｆを載置する位置を変更することで、前記θが大きく変化する。そのため、用便時の排泄物の落下位置が差程変化することがなく、前記θを大きく変化させることができる。
【００２０】
このように、使用者が傾斜部３１に対して足を載置する位置を変化させることで、使用者がしゃがんだ状態で該使用者の重心が後方Ｂにならないように、すなわち、使用者の重心が体の中心近くなるように移動させることができる。そのため、使用者が前傾姿勢ぎみの状態を楽にとれるようになる。
【実施例２】
【００２１】
図３は実施例２を示す。
図３に示すように、本実施例２ではマット部３０が和式便器１の前半部１ｆに設けられている。前記マット部３０の略Ｕ字状の両端部、すなわち、和式便器１の両側面１ｓに対応する位置には、一対の傾斜部３１がそれぞれ一体に形成されている。
その他の構成は、実施例１と同様であり、同一部分または相当部分に同一符号を付して、その説明を省略する。
【産業上の利用可能性】
【００２２】
本考案の和式便器用足場は、和式便器に用いることができる。
【符号の説明】
【００２３】
１：和式便器
１ｂ：後半部
１ｆ：前半部
１ｓ：両外側部
２：床面
３：和式便器用足場
３０：マット部
３１：傾斜部
３１ｓ：曲面
Ｂ：後方
【図１】
0003153946.tif 000003
【図２】
0003153946.tif 000004
【図３】
0003153946.tif 000005